(57)【要約】【課題】建物の中間にある免震階において免震装置の設置領域を好適に確保しながら、地震発生時でも免震階の踊り場での上り口と下り口とを繋ぐ折り返し通路を好適に確保することができる階段構造を実現する。【解決手段】中間にある所定の免震階Ｆ２に免震装置を設置した建物に設けられ、各踊り場Ａ１，Ａ２Ｍ，Ａ２，Ａ３，Ａ４にて上り階段部と下り階段部とが階段幅方向で位置ずれして折り返す状態で配置された折返し階段Ａを備えた階段構造であって、免震階Ｆ２の踊り場Ａ２において、上り階段部が、当該免震階Ｆ２の踊り場Ａ２から縁切りされてスライド自在に構成されていると共に、免震階Ｆ２の１段下の踊り場Ａ２Ｍにおいて、上り階段部が、それよりも下段側の階段部の基準配置位置よりも階段幅方向において免震階Ｆ２の踊り場Ａ２の上り階段部側とは反対側に偏移した位置に設けられている。【選択図】図１
2019108736.tif 000002
【特許請求の範囲】
【請求項１】
中間にある所定の免震階に免震装置を設置した建物に設けられ、
各踊り場にて上り階段部と下り階段部とが階段幅方向で位置ずれして折り返す状態で配置された折返し階段を備えた階段構造であって、
前記免震階の踊り場において、上り階段部が、当該免震階の踊り場から縁切りされてスライド自在に構成されていると共に、
前記免震階の１段下の踊り場において、上り階段部が、それよりも下段側の階段部の基準配置位置よりも階段幅方向において前記免震階の踊り場の上り階段部側とは反対側に偏移した位置に設けられている階段構造。
【請求項２】
一対の前記折返し階段を階段同士が交差状態で並設して交差させてなるＸ階段を備え、
前記免震階の踊り場において、一対の上り階段部が階段幅方向において互いに隣接して配置され、
前記免震階の１段下の踊り場において、一対の上り階段部が階段幅方向において互いに離間して配置されている請求項１に記載の階段構造。
【請求項３】
前記免震階の２段下の踊り場において、一対の上り階段部が階段幅方向において互いに隣接して配置され、
前記免震階の１段下の踊り場において、一対の上り階段部のうち、前記建物の内方側に位置する内方側上り階段部が、前記建物の外方側に位置する外方側上り階段部に隣接する位置よりも階段幅方向における前記建物の内方側に偏移した位置に設けられている請求項２に記載の階段構造。
【請求項４】
前記免震階の１段上の踊り場において、一対の上り階段部の夫々が、一対の下り階段部に通じる夫々の下り口から見て前記建物の外方側に配置されている請求項２又は３に記載の階段構造。
【請求項５】
前記免震階の１段下の踊り場が、前記免震階の踊り場とその下階との中間に設けられた中間踊り場である請求項２〜４の何れか１項に記載の階段構造。
【発明の詳細な説明】
【技術分野】
【０００１】
本発明は、中間にある所定の免震階に免震装置を設置した建物に設けられ、各踊り場にて上り階段部と下り階段部とが階段幅方向で位置ずれして折り返す状態で配置された折返し階段を備えた階段構造に関する。
【背景技術】
【０００２】
建物に設置される階段構造として、各踊り場にて上り階段部と下り階段部とが階段幅方向で位置ずれして折り返す状態で配置された折返し階段（シングルスパイラル階段と呼ぶ場合もある。）を備えたもの（例えば特許文献１を参照。）や、一対の折返し階段を階段同士が交差状態で並設して交差させてなるＸ階段（ダブルスパイラル階段と呼ぶ場合もある。）（例えば特許文献２を参照。）を備えたものが知られている。
【０００３】
特許文献１に記載のシングルスパイラル階段を備えた階段構造は、免震装置が設置された免震階の踊り場において、上り階段部が床部から縁切りされてスライド自在に構成されている。このような階段構造では、地震発生時に、免震階の踊り場において、上り階段部が免震装置の上部躯体と共に挙動して床部に対してスライドするので、階段の損壊を防止しつつ、上り口と下り口とを離間配置させることで互いの干渉を抑制し、それらを繋ぐ折り返し通路を好適な状態で確保するものとされている。
【先行技術文献】
【特許文献】
【０００４】
【特許文献１】特開平１１−１４８２５０号公報
【特許文献２】特開２００８−２２３４２２号公報
【発明の概要】
【発明が解決しようとする課題】
【０００５】
免震階に免震装置を設置する建物において、折返し階段を設置するにあたり、免震階の踊り場では、免震装置と上り階段部との干渉を考慮する必要がある。このことから、当該上り階段部の設置領域が制限され、上り階段部に通じる上り口と下り階段部に通じる下り口とを十分に離間させて配置することができない場合がある。すると、地震発生時に、免震階の踊り場において、上り階段部が免震装置の上部躯体と共に挙動して床部に対してスライドすることで上り階段に通じる上り口と下り階段に通じる下り口とが干渉して、これらを繋ぐ折返し通路が確保できなくなるという問題があった。
特に、ダブルスパイラル階段を設置する場合には、互いに交差状態で一対の折返し階段を階段室内に並設する必要があることから、免震階の踊り場での上り階段に通じる上り口と下り階段に通じる下り口の離間距離を十分に確保することができずに、結果、地震発生時における免震階の踊り場での折返し通路の確保が困難となる場合があった。
【０００６】
この実情に鑑み、本発明の主たる課題は、建物の中間にある免震階において免震装置の設置領域を好適に確保しながら、地震発生時でも免震階の踊り場での上り口と下り口とを繋ぐ折り返し通路を好適に確保することができる階段構造を実現することを提供する点にある。
【課題を解決するための手段】
【０００７】
本発明の第１特徴構成は、中間にある所定の免震階に免震装置を設置した建物に設けられ、
各踊り場にて上り階段部と下り階段部とが階段幅方向で位置ずれして折り返す状態で配置された折返し階段を備えた階段構造であって、
前記免震階の踊り場において、上り階段部が、当該免震階の踊り場から縁切りされてスライド自在に構成されていると共に、
前記免震階の１段下の踊り場において、上り階段部が、それよりも下段側の階段部の基準配置位置よりも階段幅方向において前記免震階の踊り場の上り階段部側とは反対側に偏移した位置に設けられている点にある。
【０００８】
本構成によれば、折返し階段を備えた建物の免震階の踊り場において、下り階段部（免震階の１段下の踊り場に設けられた上り階段部）に通じる下り口が、上り階段部に通じる上り口に対して階段幅方向において互いに離間した位置に設けられることになる。よって、地震発生時に、免震階の踊り場において、上り階段部が免震装置の上部躯体と共に挙動して床部に対してスライドした場合であっても、互いに離間配置された上り口と下り口との干渉を好適に抑制して、それらを繋ぐ折り返し通路を好適な状態で確保することができる。また、免震階の踊り場において、地震発生時に上部躯体と共に挙動する上り階段部については、免震装置の設置領域を十分に確保可能な任意の箇所に設けることができる。従って、本発明により、建物の中間にある免震階において免震装置の設置領域を好適に確保しながら、地震発生時でも免震階の踊り場での上り口と下り口とを繋ぐ折り返し通路を好適に確保することができる階段構造を実現することができる。
【０００９】
本発明の第２特徴構成は、一対の前記折返し階段を階段同士が交差状態で並設して交差させてなるＸ階段を備え、
前記免震階の踊り場において、一対の上り階段部が階段幅方向において互いに隣接して配置され、
前記免震階の１段下の踊り場において、一対の上り階段部が階段幅方向において互いに離間して配置されている点にある。
【００１０】
本構成によれば、Ｘ階段を備えた建物の免震階の１段下の踊り場において、一対の上り階段部が階段幅方向において互いに離間して配置されているので、免震階の踊り場において、一対の下り階段部（免震階の１段下の踊り場に設けられた一対の上り階段部）に通じる一対の下り口の夫々が、階段幅方向において互いに十分に離間して配置されることになる。そして、免震階の踊り場において、一対の上り階段部が階段幅方向において互いに隣接して配置されているので、これら一対の上り階段部の夫々に通じる一対の上り口の夫々を、十分に離間して配置された一対の下り口の間の領域において当該一対の下り口の夫々に対して階段幅方向において離間した状態で配置することができる。よって、地震発生時に、免震階の踊り場において、一対の上り階段部が免震装置の上部躯体と共に挙動して床部に対してスライドした場合であっても、階段幅方向において互いに離間配置された一対の上り口と一対の下り口との干渉を好適に抑制して、それらを繋ぐ一対の折り返し通路を好適な状態で確保することができる。また、免震階の踊り場において、上部躯体と共に挙動する一対の上り階段部が階段幅方向において互いに隣接して配置されているので、当該一対の上り階段部を設置するための領域をできるだけ小さくして、免震装置の設置領域を十分に確保することができる。
【００１１】
本発明の第３特徴構成は、前記免震階の２段下の踊り場において、一対の上り階段部が階段幅方向において互いに隣接して配置され、
前記免震階の１段下の踊り場において、一対の上り階段部のうち、前記建物の内方側に位置する内方側上り階段部が、前記建物の外方側に位置する外方側上り階段部に隣接する位置よりも階段幅方向における前記建物の内方側に偏移した位置に設けられている点にある。
【００１２】
本構成によれば、免震階の２段下の踊り場において、例えばできるだけ建物の外方側に寄せた状態で、一対の上り階段部を隣接配置して、当該一対の上り階段部を設置するための領域をできるだけ小さくすることができる。この場合であっても、免震階の１段下の踊り場において、外方側上り階段部はできるだけ建物の外方側に寄せた位置に設けながら、内方側上り階段部のみを建物の内方側に偏移させるだけで、一対の上り階段部を階段幅方向において互いに離間して配置することができる。
【００１３】
本発明の第４特徴構成は、前記免震階の１段上の踊り場において、一対の上り階段部の夫々が、一対の下り階段部に通じる夫々の下り口から見て前記建物の外方側に配置されている点にある。
【００１４】
本構成によれば、免震階において、免震装置の設置領域を確保するべく、隣接配置された一対の上り階段部を建物の内方側に偏移する位置に配置した場合であっても、その免震階の１段上の踊り場において、一対の上り階段部の夫々が、夫々の下り口から見て建物の外方側に配置されているので、建物の内方側の居室をできるだけ大きく確保することができる。
【００１５】
本発明の第５特徴構成は、前記免震階の１段下の踊り場が、前記免震階の踊り場とその下階との中間に設けられた中間踊り場である点にある。
【００１６】
本構成によれば、免震階の１段下の踊り場が中間踊り場であるので、その１段下の踊り場において上り階段部を免震階の踊り場の上り階段部側とは反対側に偏移した位置に設けた場合であっても、その偏移した上り階段部による免震階の下階の居室の縮小を抑制することができる。
【図面の簡単な説明】
【００１７】
【図１】本実施形態の階段構造を採用したＸ階段の各階での階段部及び踊り場の状態を示す斜視図
【図２】本実施形態の階段構造を採用したＸ階段の各階での階段部及び踊り場の状態を示す立面図
【図３】免震階の２段上の踊り場における折返し通路及び階段部の配置状態を示す平面図
【図４】免震階の１段上の踊り場における折返し通路及び階段部の配置状態を示す平面図
【図５】免震階の踊り場における折返し通路及び階段部の配置状態を示す平面図
【図６】免震階の１段下の踊り場における折返し通路及び階段部の配置状態を示す平面図
【図７】免震階の２段下の踊り場における折返し通路及び階段部の配置状態を示す平面図
【発明を実施するための形態】
【００１８】
本発明の実施形態について図面に基づいて説明する。
図１及び図２に示すように、本実施形態の階段構造（以下「本階段構造」と呼ぶ。）は、中間にある所定の免震階Ｆ２に免震装置Ｉ（図５参照）を設置した建物に設けられた階段構造である。また、図３〜図７にも示すように、本階段構造は、各踊り場Ａ１，Ａ２Ｍ，Ａ２，Ａ３，Ａ４，Ｂ１，Ｂ２Ｍ，Ｂ２，Ｂ３，Ｂ４にて上り階段部Ｋｕと下り階段部Ｋｄとが階段幅方向で位置ずれして折り返す状態で配置された折返し階段Ａ，Ｂを備える。
更に、本階段構造は、一対の折返し階段Ａ，Ｂを階段同士が交差状態で並設して交差させてなるＸ階段を備えて構成されている。
尚、図３〜図７において、外壁Ｗを挟んで下方側が折返し階段Ａ，Ｂが設置された建物の屋内側となっており、外壁Ｗを挟んで上方側が建物の屋外側となっている。図１では、折返し階段Ａ，Ｂの奥側が建物の屋外側となる。また、図２では、外壁Ｗを挟んで左側が折返し階段Ａ，Ｂが設置された建物の屋内側となっており、外壁Ｗを挟んで右側が建物の屋外側となっている。
【００１９】
本階段構造が設置された建物において、免震装置Ｉが設置された免震階Ｆ２は、例えば１階から最上階までの間に設けられる建物の中間階であり、その免震階Ｆ２を基準にして、１階上の上層階を１階上階Ｆ３と呼び、２階上の上層階を２階上階Ｆ４と呼び、１階下の下層階を１階下階Ｆ１と呼ぶ。
夫々の階Ｆ１〜Ｆ４には、各折返し階段Ａ，Ｂの踊り場Ａ１，Ａ２，Ａ３，Ａ４，Ｂ１，Ｂ２，Ｂ３，Ｂ４が、上り階段部Ｋｕに通じる上り口と下り階段部Ｋｄに通じる下り口とを繋ぐ平坦な折返し通路として設けられている。更に、夫々の折返し階段Ａ，Ｂにおいて、免震階Ｆ２の踊り場Ａ２，Ｂ２とその下階である１階下階Ｆ１の踊り場Ａ１，Ｂ１との間には、中間踊り場Ａ２Ｍ，Ｂ２Ｍが、平坦な折返し通路として設けられている。
【００２０】
夫々の折返し階段Ａ，Ｂにおいて、これら各踊り場Ａ１,Ａ２Ｍ，Ａ２，Ａ３，Ａ４，Ｂ１,Ｂ２Ｍ，Ｂ２，Ｂ３，Ｂ４は、上り口から斜め上方向に延出する一の上り階段部Ｋｕを介して１段上の踊り場と連通すると共に、当該上り階段部Ｋｕに通じる上り口と並設された下り口から斜め下方向に下降する一の下り階段部Ｋｄを介して１段下の踊り場と連通している。即ち、夫々の折返し階段Ａ，Ｂにおいて、免震階Ｆ２の踊り場Ａ２，Ｂ２を基準にして、２段下の踊り場は１階下階Ｆ１の踊り場Ａ１，Ａ２となり、１段下の踊り場は中間踊り場Ａ２Ｍ，Ｂ２Ｍとなり、１段上の踊り場は１階上階Ｆ３の踊り場Ａ３，Ｂ３となり、２段上の踊り場は２階上階Ｆ４の踊り場Ａ４，Ｂ４となる。そして、各踊り場Ａ１,Ａ２Ｍ，Ａ２，Ａ３，Ａ４，Ｂ１,Ｂ２Ｍ，Ｂ２，Ｂ３，Ｂ４には、上り階段部Ｋｕに通じる上り口に臨む上り口側通路Ａ１ｕ,Ａ２Ｍｕ，Ａ２ｕ，Ａ３ｕ，Ａ４ｕ，Ｂ１ｕ,Ｂ２Ｍｕ，Ｂ２ｕ，Ｂ３ｕ，Ｂ４ｕと、下り階段部Ｋｄに通じる下り口に臨む下り口側通路Ａ１ｄ,Ａ２Ｍｄ，Ａ２ｄ，Ａ３ｄ，Ａ４ｄ，Ｂ１ｄ,Ｂ２Ｍｄ，Ｂ２ｄ，Ｂ３ｄ，Ｂ４ｄとが設けられている。
【００２１】
図１、図２、及び図５に示すように、夫々の折返し階段Ａ，Ｂにおいて、免震階Ｆ２の踊り場Ａ２，Ｂ２では、上り階段部Ｋｕを当該免震階の踊り場Ａ２，Ｂ２の床部から縁切りしてスライド自在とするスライド機構部Ｓが設けられている。尚、このスライド機構部Ｓについては、滑り支承や転がり支承等を用いた公知の構成が採用されている。
【００２２】
以上のような階段構造を設置した建物では、免震階Ｆ２に複数の免震装置Ｉを分配設置することから、これら免震装置Ｉと上り階段部Ｋｕとの干渉を回避するべく、当該上り階段部Ｋｕの設置領域が制限される。更に、地震発生時に、免震階Ｆ２の踊り場Ａ２，Ｂ２において、上り階段部Ｋｕが免震装置Ｉの上部躯体と共に挙動して床部に対してスライドすることから、上り階段Ｋｕに通じる上り口と下り階段Ｋｄに通じる下り口とを繋ぐ折返し通路を確保するためには、これら上り口が下り口に接近して干渉することを回避できる程度に、上り口と下り口とを階段幅方向において十分に離間させる必要がある。
そこで、本階段構造では、免震階Ｆ２において免震装置Ｉの設置領域を好適に確保しながら、地震発生時でも免震階Ｆ２の踊り場Ａ２，Ｂ２での上り口と下り口とを繋ぐ折り返し通路を好適に確保することができる階段構造を実現するための特徴構成を有しており、その詳細について以下に説明を加える。
【００２３】
本階段構造では、Ｘ階段を構成する一対の折返し階段Ａ，Ｂのうちの一方の折返し階段Ａにおいて、図１、図２、及び図６に示すように、免震階Ｆ２の１段下の中間踊り場Ａ２Ｍでは、上り階段部Ｋｕが、それよりも下段側の階段部の基準配置位置（例えば、図７に示すように、免震階Ｆ２の２段下の踊り場Ｂ１での上り階段部Ｋｕの配置位置）よりも階段幅方向において免震階Ｆ２の踊り場Ａ２の上り階段部Ｋｕ側とは反対側（図６における下方側）に偏移した位置に設けられている。
【００２４】
この構成により、図１及び図５に示すように、免震階Ｆ２における折返し階段Ａ側の踊り場Ａ２では、下り階段部Ｋｄ（免震階Ｆ２の１段下の中間踊り場Ａ２Ｍに設けられた上り階段部Ｋｕに相当する）へ通じる下り口側通路Ａ２ｄが、上り階段部Ｋｕへ通じる上り口側通路Ａ２ｕに対して、接続通路Ａ２ｃを間に介在させた状態で階段幅方向において互いに離間した位置に設けられることになる。
【００２５】
一方、免震階Ｆ２において、折返し階段Ｂの上り階段部Ｋｕが折返し階段Ａの上り階段部Ｋｕの内側（外壁Ｗから離間する側）に隣接して配置されており、この折返し階段Ｂの上り階段部Ｋｕに対して折返し階段Ｂの下り階段部Ｋｄが、階段幅方向において外側（外壁Ｗに近接する側）に離間して配置されている。また、このような免震階Ｆ２での夫々の下り階段部Ｋｄの配置により、図６に示すように、免震階Ｆ２の１段下の中間踊り場Ａ２Ｍ，Ｂ２Ｍにおいて、一対の上り階段部Ｋｕが互いに離間して配置されることになる。このことで、図１、図２、及び図５に示すように、免震階Ｆ２における折返し階段Ｂ側の踊り場Ｂ２でも、下り階段部Ｋｄ（免震階Ｆ２の１段下の中間踊り場Ｂ２Ｍに設けられた上り階段部Ｋｕに相当する）へ通じる下り口側通路Ｂ２ｄが、上り階段部Ｋｕへ通じる上り口側通路Ｂ２ｕに対して、接続通路Ｂ２ｃを間に介在させた状態で階段幅方向において互いに離間した位置に設けられることになる。
【００２６】
即ち、本実施形態のように、Ｘ階段を備えた本階段構造では、図６に示すように、免震階Ｆ２の１段下の踊り場Ａ２Ｍ，Ｂ２Ｍにおいて、一対の上り階段部Ｋｕが、階段幅方向において例えば一の階段部の幅に相当する分互いに離間して配置されている。このことで、図５に示すように、免震階Ｆ２の踊り場Ａ２，Ｂ２において、一対の下り階段部Ｋｄ（免震階Ｆ２の１段下の踊り場Ａ２Ｍ，Ｂ２Ｍに設けられた一対の上り階段部Ｋｕ）に通じる一対の下り口側通路Ａ２ｄ，Ｂ２ｄの夫々が、階段幅方向において例えば一の階段部の幅に相当する分互いに十分に離間して配置されることになる。そして、免震階Ｆ２の踊り場Ａ２，Ｂ２において、一対の上り階段部Ｋｕが互いに隣接して配置されているので、これら一対の上り階段部Ｋｕの夫々に通じる一対の上り口側通路Ａ２ｕ，Ｂ２ｕの夫々を、十分に離間して配置された一対の下り口側通路Ａ２ｄ，Ｂ２ｄの間の領域において当該一対の下り口側通路Ａ２ｄ，Ｂ２ｄの夫々に対して階段幅方向において離間した状態で配置することができる。更に、免震階Ｆ２の１段下の踊り場Ａ２Ｍ，Ｂ２Ｍが、免震階Ｆ２の踊り場Ａ２，Ｂ２と１階下階Ｆ１との中間に設けられた中間踊り場であることから、上述のように、震階Ｆ２の１段下の中間踊り場Ａ２Ｍにおいて上り階段部Ｋｕを、それよりも下段側の階段部の基準配置位置よりも階段幅方向において免震階Ｆ２の踊り場Ａ２の上り階段部Ｋｕ側とは反対側に偏移させた場合でも、その偏移した上り階段部Ｋｕによる免震階Ｆ２の下階Ｆ１の居室の縮小が抑制されることになる。
【００２７】
以上のような構成を採用することにより、地震発生時に、免震階Ｆ２の各踊り場Ａ２，Ｂ２において、夫々の上り階段部Ｋｕが免震装置Ｉの上部躯体と共に挙動して床部に対してスライドした場合であっても、階段幅方向において互いに離間配置された夫々の上り口側通路Ａ２ｕ，Ｂ２ｕと夫々の下り口側通路Ａ２ｄ，Ｂ２ｄとの干渉が好適に抑制されて、それらを繋ぐ夫々の折り返し通路が好適な状態で確保される。また、免震階Ｆ２の踊り場Ａ２，Ｂ２において、地震発生時に上部躯体と共に挙動する夫々の上り階段部Ｋｕについては、免震装置Ｉの設置領域を十分に確保可能な任意の箇所に容易に設けることができる。
【００２８】
更に、この免震階Ｆ２の各踊り場Ａ２，Ｂ２では、免震装置Ｉの設置領域との干渉を回避しながら、夫々の上り口側通路Ａ２ｕ，Ｂ２ｕの上り階段Ｋｕとは反対側や、夫々の下り階段部Ｋｄの上り階段部Ｋｕとは反対側において通路空間が形成されている。このような通路空間が形成されることにより、地震発生時の上り階段部Ｋｕの壁等との干渉防止や折返し通路の確保をより確実に図ることができる。
尚、免震階Ｆ２では、上り階段部Ｋｕがスライドして、踊り場Ａ２，Ｂ２に接続された下り階段部Ｋｄに対して近接又は離間するように挙動することから、これら上り階段部Ｋｕの上り口と下り階段部Ｋｄの下り口とを繋ぐ手摺等については、伸縮自在に構成されたものを用いることができる。
【００２９】
図１及び図７に示すように、免震階Ｆ２の２段下の踊り場Ａ１，Ｂ１において、夫々の折返し階段Ａ，Ｂの一対の上り階段部Ｋｕが互いに隣接して配置されている。更に、図１及び図６に示すように、免震階Ｆ２の１段下の中間踊り場Ａ２Ｍ，Ｂ２Ｍにおいて、夫々の折返し階段Ａ，Ｂの一対の上り階段部Ｋｕのうち、建物の内方側（図６における下方側）に位置する折返し階段Ａの内方側上り階段部Ｋｕが、建物の外方側に位置する折返し階段Ｂの外方側上り階段部Ｋｕに隣接する基準配置位置よりも階段幅方向における建物の内方側に偏移した位置に設けられている。
【００３０】
この構成により、図７に示すように、免震階Ｆ２の２段下の踊り場Ａ１，Ｂ２において、例えばできるだけ建物の外方側（図７に於ける上方側）に寄せた状態で、夫々の折返し階段Ａ，Ｂの一対の上り階段部Ｋｕを隣接配置して、当該一対の上り階段部Ｋｕを設置するための領域ができるだけ小さく設定されている。また、この場合であっても、図６に示すように、免震階Ｆ２の１段下の中間踊り場Ａ２Ｍ，Ｂ２Ｍにおいて、折返し階段Ｂの外方側上り階段部Ｋｕはできるだけ建物の外方側（図６における上方側）に寄せた位置に設けられており、折返し階段Ａの内方側上り階段部Ｋｕのみを階段幅方向において建物の内方側（図６における下方側）に偏移させるだけで、一対の上り階段部Ｋｕを互いに離間して配置されている。
【００３１】
図１、図２、及び図４に示すように、免震階Ｆ２の１段上の踊り場Ａ３，Ｂ３において、一対の上り階段部Ｋｕの夫々が、一対の下り階段部Ｋｄに通じる夫々の下り口側通路Ａ４ｄ，Ｂ４ｄから見て建物の外方側（図４における上方側）に配置されている。よって、図５に示すように、免震階Ｆ２において、免震装置Ｉの設置領域を確保するべく、隣接配置された一対の上り階段部Ｋｕを階段幅方向において建物の内方側に偏移する位置に配置した場合であっても、図４に示すように、その免震階Ｆ２の１段上の踊り場Ａ３，Ｂ３において、一対の上り階段部Ｋｕの夫々が、夫々の下り口側通路Ａ３ｄ，Ｂ３ｄから見て建物の外方側（図４における上方側）に配置されているので、建物の内方側の居室ができるだけ大きく確保されている。
【００３２】
Ｘ階段を構成する一方の階段Ａにおいて、免震階Ｆ２以下での踊り場Ａ１,Ａ２Ｍ，Ａ２（図５，６，７参照）では、下り階段Ｋｄから踊り場を介して上り階段部Ｋｕに至る折返し通路の折返し方向（以下、単に「折返し方向」と呼ぶ。）が左回り及び右回りのうちの一方の特定方向回り（本実施形態では右回り）とされているが、１階上階Ｆ３以上での踊り場Ａ３,Ａ４（図３，４参照）において、折返し方向が上記特定方向回りとは逆の逆方向回り（本実施形態では左回り）に切り替えられている。一方、Ｘ階段を構成する一方の階段Ｂにおいて、１階上階Ｆ１以下での踊り場Ａ１,Ａ２Ｍ，Ａ２，Ａ３（図４，５，６，７参照）では、折返し方向が上記特定方向回りとされているが、２階上階Ｆ４以上での踊り場Ａ４（図３参照）において、折返し方向が上記特定方向とは上記逆方向回りに切り替えられている。即ち、免震階Ｆ２を含む下層階では、階段Ａ，Ｂの夫々の折返し方向が上記特定方向回りとされており、その折返し方向が免震階Ｆ２及び１階上階Ｆ３の夫々において切り替えられて、２階上階Ｆ４以上の上層階では、階段Ａ，Ｂの夫々の折返し方向が上記逆方向回りとされている。
【００３３】
即ち、図４に示すように、免震階Ｆ２の１段上の踊り場Ａ３，Ｂ３において、一対の上り階段部Ｋｕが隣接配置されており、一対の上り階段部Ｋｕの夫々の内方側（図４における下方側）に下り階段部Ｋｄが配置されている。
更に、図３に示すように、その一段上の踊り場Ａ４，Ｂ４及びそれよりも上層階の踊り場では、外壁Ｗに隣接して配置された下り階段部Ｋｄ及び上り階段部Ｋｕに対して、それらに通じる上り階段部Ｋｕ及び下り階段部Ｋｄが、建物の内方側（図３の下方側）に配置されている。
このことで、２階上階Ｆ４以上の上層階では、一対の上り階段部Ｋｕをできるだけ外壁Ｗに近い領域で互いに隣接させて配置しながら、それらの設置領域を最小限として、大きな居室の確保を図ることができる。
【００３４】
〔別実施形態〕
本発明の他の実施形態について説明する。尚、以下に説明する各実施形態の構成は、それぞれ単独で適用することに限らず、他の実施形態の構成と組み合わせて適用することも可能である。
（１）上記実施形態では、本発明に係る階段構造を、一対の折返し階段Ａ，Ｂを階段同士が交差状態で並設して交差させてなるＸ階段を備えたものとして構成したが、単一の折返し階段からなるシングルスパイラル階段を備えたものとして構成することもできる。
【００３５】
（２）各踊り場Ａ１,Ａ２Ｍ，Ａ２，Ａ３，Ａ４，Ｂ１,Ｂ２Ｍ，Ｂ２，Ｂ３，Ｂ４における上り階段部Ｋｕの配置状態は、上記実施形態で説明したものに限るものではなく、当然適宜改変しても構わない。
【００３６】
（３）上記実施形態では、免震階Ｆ２の１段下の踊り場Ａ２Ｍ、Ｂ２Ｍを、免震階Ｆ２の踊り場Ａ２，Ｂ２とその下階との中間に設けられた中間踊り場としたが、この踊り場Ａ２Ｍ、Ｂ２Ｍは、免震階Ｆ２の下階の踊り場としても構わない。
【符号の説明】
【００３７】
Ａ，Ｂ          折返し階段
Ａ１，Ｂ１      免震階の２段下の踊り場
Ａ２，Ｂ２      免震階の踊り場
Ａ２Ｍ，Ｂ２Ｍ  免震階の１段下の踊り場（中間踊り場）
Ａ３，Ｂ３      免震階の１段上の踊り場
Ａ４，Ｂ４      免震階の２段上の踊り場
Ｆ２            免震階
Ｉ              免震装置
Ｋｄ            下り階段部
Ｋｕ            上り階段部
Ｓ              スライド機構部
【図１】
2019108736.tif 000003
【図２】
2019108736.tif 000004
【図３】
2019108736.tif 000005
【図４】
2019108736.tif 000006
【図５】
2019108736.tif 000007
【図６】
2019108736.tif 000008
【図７】
2019108736.tif 000009